(57)【要約】【課題】既存の地理情報表示手法に、ユーザーに対する心理的アプローチ手法を加え、ユーザーの興味、好奇心を煽ることができる地域情報表示手法を提供する。【解決手段】地域情報表示システムは、特定地域の特徴を示す、画像データ、音声データ、テキストデータの少なくともいずれか一つの情報を含む地域データと、特定地域の位置情報と、を関連付けして記憶する記憶手段と、前記地域データを前記特定地域の特徴を示すデータの量を削減する形で処理して、加工地域データを作成する加工処理手段と、前記加工地域データを前記位置情報に対応付けて配置してなる地図を表示する表示手段と、を備える。【選択図】図１
2020119416.tif 000002
【特許請求の範囲】
【請求項１】
特定地域の特徴を示す、画像データ、音声データ、テキストデータの少なくともいずれか一つの情報を含む地域データと、特定地域の位置情報と、を関連付けして記憶する記憶手段と、
前記地域データを前記特定地域の特徴を特定する情報量を削減する形で処理して、加工地域データを作成する加工処理手段と、
前記加工地域データを前記位置情報に対応付けて配置してなる地図を表示する表示手段と、
を備える地域情報表示システム。
【請求項２】
加工処理手段は、地域データのうち特定地域の画像データを、画像モザイク処理、画像規制処理および簡略図化処理の少なくとも一つを施して、加工画像データを作成する請求項１記載の地域情報表示システム。
【請求項３】
加工処理手段は、地域データのうち特定地域の音声データを、音声変更処理および音声規制処理の少なくとも一つを施して、加工音声データを作成する請求項１記載の地域情報表示システム。
【請求項４】
加工処理手段は、地域データのうち特定地域のテキストデータを、テキスト暗号化処理および文字抜き処理の少なくとも一つを施して、加工テキストデータを作成する請求項１記載の地域情報表示システム。
【請求項５】
現在位置情報を特定できる端末を携帯したユーザーが、前記加工地域データに対応付けた前記位置情報における特定地域の所定領域内に入ると、前記加工地域データが前記地域データに前記地図上で表示が切り替わる表示切替手段を備えた請求項１から４のいずれかに記載の地域情報表示システム。
【請求項６】
特定地域の特徴を示す、画像データを含む地域データと、特定地域の位置情報と、を関連付けして記憶する記憶手段と、
前記地域データを前記特定地域の特徴を示すデータの量を削減する形で処理して、加工地域データを作成する加工処理手段と、
前記加工地域データを前記位置情報に対応付けて配置してなる地図を表示する表示手段と、
前記加工処理手段は、画像データを、画像モザイク処理、画像規制処理又は簡略図化処理を施して、加工画像データを作成し、
かつ、現在位置情報を特定できる端末を携帯したユーザーが、前記加工地域データに対応付けた前記位置情報における特定地域の所定領域内に入ると、前記加工地域データが前記地域データに前記地図上で表示が切り替わる表示切替手段を備えたことを特徴とする地域情報表示システム。
【発明の詳細な説明】
【技術分野】
【０００１】
本発明は、地域情報を表示するシステムに関する。
【背景技術】
【０００２】
従来より、概略的な地図情報とともに、それに含まれる地点の撮影画像を表示する地理情報表示手法があった。
【０００３】
下記特許文献の地理情報表示装置は、例えばＰＣなどの端末装置として構成している。この場合、記憶手段は、ＨＤＤやディスク状記憶媒体などにより構成し、地理上の複数の地点について、当該地点において撮影された写真データと、当該地点の位置情報とを対応付けて記憶している。地理上の複数の地点は、例えば所定の道路上の所定間隔毎の地点とすることができる。また、位置情報としては、緯度及び経度が使用されている。さらに、端末装置のＣＰＵなどのコンピュータは、表示制御手段として機能することができ、複数の前記写真データを所定サイズに縮小して縮小写真データを生成し、それを前記位置情報に対応した相対的位置関係に配置してなる写真地図を作成し、表示装置に表示している。写真地図は、写真データを縮小し、位置情報に対応した相対的位置関係に配置して作成されるので、擬似的な地図として使用することができる。
【先行技術文献】
【特許文献】
【０００４】
【特許文献１】特開２００７−２１２６８１号公報
【発明の概要】
【発明が解決しようとする課題】
【０００５】
しかしながら、特許文献１に記載の手法では、地図としての利用は可能なものの、あくまでユーザーが設定する目的地に移動するため受動的なものであり、ユーザーに対して自発的に目的地候補を推奨することはなく、ユーザーの興味、好奇心を煽ることもない。
【０００６】
そこで、本発明は、既存の地理情報表示手法に、ユーザーに対する心理的アプローチ手法を加え、ユーザーの興味、好奇心を煽ることができる地域情報表示システムを提供することを目的とする。
【課題を解決するための手段】
【０００７】
本発明の地域情報表示システムは、特定地域の特徴を示す、画像データ、音声データ、テキストデータの少なくともいずれか一つの情報を含む地域データと、特定地域の位置情報と、を関連付けして記憶する記憶手段と、前記地域データを前記特定地域の特徴を示すデータの量を削減する形で処理して、加工地域データを作成する加工処理手段と、前記加工地域データを前記位置情報に対応付けて配置してなる地図を表示する表示手段と、を備える。
【０００８】
また、本発明の地域情報表示システムの加工処理手段は、地域データのうち特定地域の画像データを、画像モザイク処理、画像規制処理又は簡略図化処理を施して、加工画像データを作成する。
【０００９】
また、本発明の地域情報表示システムの加工処理手段は、地域データのうち特定地域の音声データを、音声変更処理又は音声規制処理を施して、加工音声データを作成する。
【００１０】
また、本発明の地域情報表示システムの加工処理手段は、地域データのうち特定地域のテキストデータを、テキスト暗号化処理又は文字抜き処理を施して、加工テキストデータを作成する。
【００１１】
また、本発明の地域情報表示システムは、現在位置情報を特定できる端末を携帯したユーザーが、前記加工地域データに対応付けた前記位置情報における特定地域の所定領域内に入ると、前記加工地域データが前記地域データに前記地図上で表示が切り替わる表示切替手段を備えている。
【発明の効果】
【００１２】
本発明によれば、既存の地理情報表示手法に、ユーザーに対する心理的アプローチ手法を加え、ユーザーの興味、好奇心を煽ることができる地域情報表示システムを提供することができる。
【図面の簡単な説明】
【００１３】
【図１】本実施形態の地域情報表示システムを示す図である。
【図２】地域情報提供者が利用するスマートフォン（２）を示す図である。
【図３】地域情報サーバを示す図である。
【図４】画像データと加工画像データを例示する図である。
【図５】地域情報利用者が利用するスマートフォン（３）と、地域情報サーバを示す図である。
【図６】地域情報提供者が利用するスマートフォン（２）の表示画面を例示す図である。
【図７】音声データと加工音声データを例示する図である。
【図８】テキストデータと加工テキストデータを例示する図である。
【発明を実施するための形態】
【００１４】
以下、本発明の実施形態の地域情報表示システムを図面に基づいて説明する。
図１に示すように、地域情報表示システム１は、携帯情報端末７と、複数のサーバと、携帯情報端末７とサーバとを相互に接続するインターネット６とを備える。地域情報表示システム１においては、例えば、地域情報提供者が利用するスマートフォン２、地域情報利用者（ユーザー）が利用するスマートフォン３が、携帯情報端末７として用いられる。スマートフォン２および、スマートフォン３は、インターネット接続機能によって無線でインターネット６と接続される。地域情報表示システム１においては、サーバとして、地図提供サーバ４と、地域情報サーバ５とが用いられる。
【００１５】
携帯情報端末７は、多機能を有して情報を処理できる端末である。携帯情報端末７の多機能性は、マイクロプロセッサ（MPU）で実行されるオペレーティングシステム（OS）によって行われ、OS上で動作するアプリケーションプログラムと、MPUによって制御される周辺機器とによって実現される。周辺機器は、RAM、ROM（記憶手段９）に加え、ユーザインターフェイスデバイスおよび画像表示面として機能するタッチパネル付きの液晶画面（表示手段１１）を含む。携帯情報端末7は、さらに携帯情報端末７の現在位置を検出する測位機能と、インターネット接続機能と、カメラ等による撮影機能と、携帯電話としての電話機能等を実行可能に設けられている。
【００１６】
そして、携帯情報端末７は、全地球測位システム(GPS)を用いる測位機能を備えていることで、携帯情報端末７の現在位置を検出することができる（測位機能）。またOSとして、ウインドウズ、マックオーエス、アンドロイド、アイオーエス等が採用され、これにより、アプリケーションプログラミングインタフェース（API）、例えば「Google Maps JavaScript API」（登録商標）が、携帯情報端末７の種々のオペレーティングシステムと地図・写真情報提供のためのソフトウエア、例えば「Google mapsのソフトウエア」との間のインタフェースとして機能することができる。
【００１７】
サーバは、高速で大容量のデータを処理することが可能なコンピュータであって、ユーザーを含むクライアントからの要求に対して何らかのサービスを提供する役割を果たす。サーバは、高速、高機能なセントラルプロセッシングユニット（CPU）やMPU、大容量RAM、大容量ROM等を備え、複雑な処理を高速で行うことができる。多数のスマートフォン等がインターネット６を介してサーバにアクセスした場合であっても、スムースに対応する。図１に示すように本実施形態では、サーバとして、地図提供サーバ４、地域情報サーバ５を用いる。これらのサーバは、レンタルサーバでもよく、サーバの運用者が自ら管理してもよい。
【００１８】
地図提供サーバ４は、地図情報を携帯情報端末７に対して提供する。例えば、このようなサーバは、現在、Google（登録商標）によって運用されている。Googleが現在提供する地図情報は、携帯情報端末７の現在の位置を含む所定範囲の地図情報を表示するものである。この地図は、世界の多くの地域について利用可能であり、Google mapsの名称で広く知られている。
【００１９】
地域情報サーバ５は、APIを用いて、地図提供サーバ４からユーザーが地図を選択する際、ユーザーに対する心理的アプローチ手法を加え、ユーザーの興味、好奇心を煽ることにより、ユーザーに自発的に目的地候補を選択・誘導させる魅力的な地域情報を携帯情報端末７（スマートフォン３）のユーザーに提供する。
「心理的アプローチ手法を加え、ユーザーの興味、好奇心を煽る」とは、例えばユーザーのスマートフォン３の画面に表示された地図上の特定地域にポップアウトされた写真（特定地域の特徴を示す写真で、一例として大阪地域の特徴を示すシンボルタワーの通天閣の写真）が、モザイク加工等が施されることで、これを見たユーザーが「何だ？」と思わせ、ユーザーに「よし！現場に確認に行こう！」と動機付けを起こすものである。
そして、 地域情報サーバ５は、ユーザーの携帯情報端末７に、地域情報表示プログラム８をダウンロードさせる。
【００２０】
地域情報表示プログラム８は、予め、地域情報提供者が利用するスマートフォン２において、特定地域の特徴を示す地域データ（例えば、通天閣の写真データ）と、特定地域の位置情報と関連付けて記憶したデータを、インターネット６を介して、地域情報サーバ５に送信させる。なお、位置情報は、スマートフォン２のGPSの測位機能により測定された緯度XXXX、経度YYYYである。
【００２１】
次に、地域情報表示プログラム８は、地域情報サーバ５において、送信された地域データをデータの量を削減する形で処理して、加工地域データを作成する（加工処理手段１０）。
「特定地域の特徴を特定する情報量を削減する形で処理」の例として、通天閣の写真をモザイク加工（ピクセル化）し、加工写真を作成する処理が挙げられる。通常の通天閣の写真（画像データ）と比較して、モザイク加工を施された通天閣のモザイク写真（加工画像データ）は、一般に知られる通天閣の情報量として削減された形となる。この加工は、地域情報表示プログラム８により自動で行っても良いし、また人手で行っても良い。
そして、この加工画像データと、送信された位置情報とを互いに関連付けて、地域情報サーバ５に記憶する。
【００２２】
そして、地域情報表示プログラム８は、地域情報利用者（ユーザー）が利用するスマートフォン３の液晶画面（表示手段１１）において、APIにより、地図提供サーバ４から提供される地図と共に、地図上の特定地域を示す位置に、特定地域の特徴を示す地域データ（通常の通天閣の写真：画像データ）をポップアウトしたり、この地域データを加工した加工地域データ（モザイク加工が施された通天閣の加工写真：加工画像データ）をポップアウトしたりさせる。
また、地域情報表示プログラム８は、スマートフォン３のGPSの測位機能により、スマートフォン３を携帯したユーザーの現在位置が、特定地域の所定領域の外の場合は、そのスマートフォン３の液晶画面に地図と共に加工地域データを表示させ、所定領域の内の場合は、加工地域データに替えて地域データを表示させる（表示切替手段１２）。このように、加工地域データの表示と地域データの表示が切り替わることで、ユーザーには達成感が生まれる。
【００２３】
（第１実施形態）
次に、「特定地域の特徴」の例として、大阪のシンボルタワーである「通天閣」とし、「地域データ」の例として、「画像データ」とした場合の地域情報表示システム１について、図面に基づいて説明する。
【００２４】
図２に示すように、STEP1は、地域情報提供者が通天閣の近傍の場所（新世界界隈）で、スマートフォン２を用いて通天閣の写真撮影を行い、これを保存するステップである。STEP1は、STEP1.1〜STEP1.4で構成されている。STEP1.1は、スマートフォン２のカメラによる撮影機能により、通天閣の写真を撮影するステップである（画像データ）。STEP1.2は、スマートフォン２のGPSの測位機能により緯度XXXX、経度YYYY（位置情報）を測位するステップである。STEP1.3は、写真（画像データ）と位置情報とを関連付けるステップである。STEP1.4は、STEP1.3で関連付けられたデータを記憶手段９に記憶するステップである。
なお、画像データの一例である通天閣の写真を図４（ａ）に示す。
【００２５】
STEP2は、地域情報表示システム１を作動させる地域情報表示プログラム８をスマートフォン２にダウンロードするステップである。地域情報表示プログラム８は地域情報サーバ５からインターネット６を介して配される。
【００２６】
STEP3は、地域情報表示プログラム８により、STEP1.4で記憶されたデータを、スマートフォン２から地域情報サーバ５へインターネット６を介して送信されるステップである。なお、データの送信は、スマートフォン２の表示画面に表示された地域情報表示プログラム８の任意のフォーマット（図示せず。）で行われる。
【００２７】
図３に示すように、地域情報サーバ５には、地域情報表示プログラム８が記憶されている。地域情報サーバ５は携帯情報端末７（スマートフォン２、スマートフォン３）からの要求に応じて、地域情報表示プログラム８を携帯情報端末７へインターネット６を介して送信する。そして、地域情報表示プログラム８は、各携帯情報端末７にダウンロードされる（STEP2、STEP5）。
【００２８】
STEP4は、地域情報表示プログラム８上の加工処理手段１０の動作であって、スマートフォン２からデータを受信（STEP3）した後、写真をモザイク加工した加工写真（加工画像データ）を作成し、これを保存するステップである。STEP4は、STEP4.1〜STEP4.3を含む。
【００２９】
STEP4.1は、受信した写真をモザイク加工し、加工写真（加工画像データ）を作成するステップである。加工画像データの一例を図４（ｂ）に示す。このモザイク加工は、既知の技術を用いて、自動で行われる。図４（ｂ）に示すように、加工写真（加工画像データ）は、通天閣の写真をモザイク加工しているため、通常の通天閣の写真（画像データ）と比較して、大阪地域の特徴を示すシンボルタワーの通天閣の情報量として削減された形となる。
【００３０】
なお、本実施例では、画像モザイク処理の例を示したが（図４（ｂ））、これに限らず、例えば、図４（ｃ）に示すような画像の一部を切り欠いた「画像規制処理」としても良いし、図４（ｄ）に示すような３次元画像を２次元画像に変換する「簡略図化処理」としても良い。また、画像モザイク処理等は既知の技術で自動で行っていたが、これを手動で行っても良い。
【００３１】
STEP4.2は、STEP4.1で作成された加工写真と位置情報とを関連付けるステップである。この位置情報は、何ら加工することはなく、緯度XXXX、経度YYYYのままである。
【００３２】
STEP4.3は、STEP4.2で関連付けられたデータを記憶するステップである。この記憶は、スマートフォン２より送信された元データとは別名で保存される。このため、地域情報サーバ５では、加工前データＡと加工後データＢの両方が記憶されている。
【００３３】
図５に示すように、STEP5は、地域情報利用者（ユーザー）が利用するスマートフォン３に、地域情報表示プログラム８をダウンロードするステップである。地域情報表示プログラム８は、地域情報サーバ５からインターネット６を介してスマートフォン３にダウンロードされる。
【００３４】
STEP6は、スマートフォン３のGPSの測位機能により、ユーザーの現在地、すなわち緯度AAAA、経度BBBB（現在位置情報）を測位するステップである。そして、測位された現在位置情報は、スマートフォン３からインターネット６を介して、地域情報サーバ５の地域情報表示プログラム８に送信される。
【００３５】
STEP7は、Google maps JavaScript API（API）を使うことにより、Google maps（地図）をカスタマイズして利用するステップである。地域情報表示プログラム８はAPIを組み込んでいるため、スマートフォン３の液晶画面（表示手段１１）地図上に加工前データAの写真や加工後データBの加工写真を適宜表示することができる。
【００３６】
STEP8は、STEP6によりスマートフォン３から送信された現在位置情報と、STEP4.2により加工写真に関連付けられた位置情報（加工後データBの位置情報）とを比較するステップである。この比較において、加工後データBの位置情報の中心座標から半径１０ｍ以内の円形領域を「特定地域の所定領域の内」とし、それ以外を「特定地域の所定領域の外」とする。そして、STEP8は、スマートフォン３のユーザーの現在地である現在位置情報が「特定地域の所定領域の内」なのか、「特定地域の所定領域の外」なのかを判断する。
【００３７】
STEP9は、地域情報表示プログラム８の表示切替手段１２により、STEP8の比較判断において、ユーザーの現在地が「特定地域の所定領域の外」である場合には加工画像データ（モザイク処理を施した通天閣の加工写真）を、「特定地域の所定領域の内」である場合には画像データ（通常の通天閣の写真）を、スマートフォン３に送信するステップである。
【００３８】
そして、地域情報表示プログラム８は、上記STEP6〜STEP9を繰り返し、スマートフォン３の液晶画面（表示手段１１）では、ユーザーの現在地に応じて、モザイク処理を施した通天閣の写真か、通常の通天閣の写真が表示される。図６（ａ）にスマートフォン３の液晶画面（表示手段１１）地図上に加工写真がポップアウト表示された例を示し、図６（ｂ）に地図上に写真がポップアウト表示された例を示す。
【００３９】
スマートフォン３を携帯したユーザーが、本発明の地域情報表示システム１を起動させた場合、ユーザーの現在地は「特定地域の所定領域の内」であることは、極めて稀で、通常、「特定地域の所定領域の外」であることが多い。従って、ユーザーのスマートフォン３の液晶画面には、地図上にモザイク処理を施した通天閣の加工写真（加工画像データ）が表示されていることになる。そして、この加工画像データを見たユーザーは「何だ？」と思うこととなり（心理的アプローチ）、ユーザーの興味、好奇心を煽る結果、「よし！現場に確認に行こう！」となるのである。さらに、ユーザーが現場に確認に行った結果、ユーザーの現在地は「特定地域の所定領域の内」となり、ユーザーのスマートフォン３の液晶画面には、地図上に加工画像データから画像データ（通常の通天閣の写真）に表示が切り替わり、ユーザーは高い達成感を得ることとなる。
【００４０】
（第２実施形態）
次に、「地域データ」の例として、「音声データ」とした場合の地域情報表示システム１について説明する。なお、上述した第１実施形態との相違点のみ説明する。
【００４１】
第２実施形態の地域情報表示システム１は、地域情報表示プログラム８の加工処理手段１０において、地域データのうち特定地域の音声データを、音声変更処理又は音声規制処理を施して、加工音声データを作成するものである。
【００４２】
本実施形態では、「特定地域の特徴」の例として、大阪の国定公園である明治の森箕面国定公園を挙げ、「音声データ」の例として、箕面の滝の音と周囲の鳥のさえずりを置く。分かり易く図示するために音波のグラフを仮に置き図７（a）に記載する。
【００４３】
加工音声データを作成するための処理の例を示す。「音声変更処理」は音声データの波長や振幅を微妙に変更したり、途中に無関係な音声を流すことでデータを不明瞭にすることである。この例として図７（ｂ）を挙げる。また、「音声規制処理」は音声データの重要な部分を削除し、理解しがたくする処理である。この例として図７（c）を挙げる。これらを第一実施形態のstep4.1と置き換えることで第二実施形態が成り立つため、step4.1*とする。
【００４４】
これにより、第２実施形態の地域情報表示システム１は、地図提供サーバ４からユーザーが地図を選択する際、ユーザーに対する心理的アプローチ手法を加え、ユーザーの興味、好奇心を煽ることにより、ユーザーに自発的に目的地候補を選択・誘導させる魅力的な地域情報をスマートフォン３のユーザーに提供することができる。
【００４５】
（第３実施形態）
次に、「地域データ」の例として、「テキストデータ」とした場合の地域情報表示システム１について説明する。なお、上述した第１実施形態・第２実施形態との相違点のみ説明する。
【００４６】
第３実施形態の地域情報表示システム１は、地域情報表示プログラム８の加工処理手段１０において、地域データのうち特定地域のテキストデータを、テキスト暗号化処理又は文字抜き処理を施して、加工テキストデータを作成するものである。
【００４７】
本実施形態では、「特定地域の特徴」の例として、大阪のあべのハルカス展望台とし、「テキストデータ」の例をその場所で行われるイベントの案内とする。図8（a）にイメージを記載する。
【００４８】
加工テキストデータを作成するための処理の例を示す。「テキスト暗号化処理」は文章に何らかの暗号を施し、内容を不明瞭にすることである。この例として図８（ｂ）を挙げる。また、「文字抜き処理」はテキストデータの重要な部分を削除し、理解しがたくする処理である。この例として図８（c）を挙げる。これらを第一実施形態のstep4.1と置き換えることで第三実施形態が成り立つため、step4.1**とする。
【００４９】
これにより、第３実施形態の地域情報表示システム１は、地図提供サーバ４からユーザーが地図を選択する際、ユーザーに対する心理的アプローチ手法を加え、ユーザーの興味、好奇心を煽ることが可能な地域情報をスマートフォン３のユーザーに提供することができる。
【００５０】
（その他の実施形態）
以下に、他の形態の地域情報表示システム１を説明する。
【００５１】
例えば、位置情報や現在位置情報については、スマートフォン２のGPSの測位機能により測定された緯度XXXX、経度YYYY等を利用している場合の説明をしたが（２次元位置情報）、これに限らず、例えば、Bluetooth（登録商標）などから位置情報を得、X・Y・Z座標（３次元位置情報）を使用して表してもよい。この場合、GPSと違い、使用者の高度まで識別できるため、都市部での地下街やビル内部までもを細かく案内することが可能である。
【００５２】
高度（Z座標）を識別できる位置情報端末を使用する場合、特定地域の所定領域は、位置情報の中心座標から半径十メートルの球形とする。
【００５３】
また、一旦、加工地域データから地域データに表示切替された後に、ユーザーが特定地域の所定領域の外に出た際、スマートフォン３上で、地域データから加工地域データに再び戻る設定でも良く、切り替え表示されたままの設定でも良い。ユーザーの任意の設定によって変更できるようにする。切り替え表示のまま保つことにより、一度訪れた場所に対しては通常の地図の機能を持てるようにできる。
【００５４】
さらに、以上の第一〜第三形態実施例は組み合わせることも可能である。そのため、動画、ポスターなど、画像、音声、テキストデータを組み合わせた様々なものを利用した応用的な実施例が考えられる。
【産業上の利用可能性】
【００５５】
本発明は、地域情報を表示するシステムに関し、産業上の利用することができる。
【符号の説明】
【００５６】
１  地域情報表示システム
２  スマートフォン（地域情報提供者）
３  スマートフォン（地域情報利用者：ユーザー）
４  地図提供サーバ
５  地域情報サーバ
６  インターネット
７  携帯情報端末
８  地域情報表示プログラム
９  記憶手段
１０  加工処理手段
１１  表示手段
１２  表示切替手段
Ａ  加工前データ
Ｂ  加工後データ
【図１】
2020119416.tif 000003
【図２】
2020119416.tif 000004
【図３】
2020119416.tif 000005
【図４】
2020119416.tif 000006
【図５】
2020119416.tif 000007
【図６】
2020119416.tif 000008
【図７】
2020119416.tif 000009
【図８】
2020119416.tif 000010
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
特定地域の特徴を示す画像データであり前記特定地域近傍で撮影された地域データと、前記特定地域の位置情報と、を関連付けして記憶する記憶手段と、
前記特定地域近傍で撮影された地域データを画像モザイク処理又は画像規制処理を施して加工地域データを作成する加工処理手段と、
前記加工地域データを前記位置情報に対応付けて配置してなる地図を表示する表示手段と、
現在位置情報を特定できる携帯端末が、前記加工地域データに対応付けた前記位置情報における特定地域の所定領域内に入ると、前記加工地域データが前記特定地域近傍で撮影された地域データに前記地図上で表示が切り替わる表示切替手段を備えたことを特徴とする地域情報表示システム。